(57)【要約】【課題】  半透過型液晶パネルを用いた電子ビューファインダのバックライトのオン・オフ制御をビューファインダの脱着と連動させることで操作性を向上させる。【解決手段】  撮像装置において、カメラからの撮像信号あるいは記録媒体からの再生信号を映写する電子ビューファインダ内部の液晶パネルに半透過型液晶パネルを用いて、電子ビューファインダの接眼部を表示部から離して液晶パネル単体で直視する場合には、この接眼部の移動動作を検出する手段の出力と外界の環境光の強度を検出する手段の出力によって前記液晶モニタ部のバックライト電源のオン・オフ制御する制御手段を備える。【選択図】  図１
2008011370.tif 000002
【特許請求の範囲】
【請求項１】
撮像装置に使用される電子ビューファインダにおいて、表示手段として半透過型液晶パネルで構成され、この電子ビューファインダに移動可能に取り付けられた接眼手段の表示手段からの脱着を検知する検知手段と撮像装置に外界の環境光強度を検知する検出手段を有することを特徴とする電子ビューファインダ付き撮像装置。
【請求項２】
上記接眼手段の表示部分からの脱着を検出する検出手段と、外界の環境光強度を検出する検出手段の出力によって上記半透過型液晶パネルのバックライトの電源をオン、オフ制御する制御手段を具備したことを特徴とする請求項1に記載の電子ビューファインダ付き撮像装置。
【請求項３】
上記接眼手段の表示部分からの脱着を検出する検出手段は、メカニカルなスイッチ構造体、磁気センサ、圧力センサ、超音波センサ、光センサ、及び静電センサから成る群から選ばれる少なくとも一種であることを特徴とする請求項1、2に記載の電子ビューファインダ付き撮像装置。
【請求項４】
外界の環境光強度を検出する検出手段は、カメラ部のアイリス制御情報、光センサからなる群から選ばれる少なくとも一種であることを特徴とする請求項1、2に記載の電子ビューファインダ付き撮像装置。
【発明の詳細な説明】
【技術分野】
【０００１】
本発明は、ビデオカメラやデジタルスチルカメラの撮像装置に用いられる電子ビューファインダに関するものである。
【背景技術】
【０００２】
従来技術の電子ビューファインダ付きビデオカメラを図4を参照して説明する。図4は、従来技術の液晶モニタ付きビデオカメラに装着された電子ビューファインダの模式的斜視図であり、(a)は接眼レンズを通して液晶パネルを視認する状態を示す図、（ｂ）は液晶パネルを直視する状態を示す図である。図4に示す従来例のビューファインダは、ファインダ鏡筒部101、ヒンジ102、ファインダ本体103、接眼レンズ104、透過型液晶パネル105から構成されている。透過型液晶パネル105は、ファインダ本体103側に内包されている。また、同図においてファインダ本体103はビデオカメラ本体に配設されている。ビデオカメラは、被写体を撮影するためのカメラ部やカメラ部からの撮影信号を記録・再生するためのビデオテープレコーダ部（いずれも図示しない）や、前記カメラ部の撮像信号及び前記ビデオレコーダ部からの再生信号を出力する液晶モニタや電子ビューファインダ等で構成されている。
【０００３】
従来、電子ビューファインダの液晶パネルには透過型液晶パネル105が使用されていた。透過型液晶パネル105の背後にはバックライトが配置され、このバックライトからの光で液晶パネル表面に映る映像を明るく見えるようにしている。電子ビューファインダ使用形態は図４（a）の様に、透過型液晶パネル105を、接眼レンズ104を通して視認していた。また、図４（ｂ）の様にファインダ鏡筒部101を、ヒンジ102から跳ね上げて透過型液晶パネル105を直視することも可能である。
【０００４】
また、跳ね上げることでプロジェクタとして用いるビデオカメラがある。（特許文献１参照）
【特許文献１】特開平８−１８６７４４号公報
【発明の開示】
【発明が解決しようとする課題】
【０００５】
しかし、図4に示す様に構成された電子ビューファインダにおいて接眼部を表示部の透過型液晶パネル105から離して、内部の透過型液晶パネル105単体を直視する際、屋外での使用ではバックライトの光量は太陽光に比べてきわめて少ないため、外光の明るさによって液晶パネル画面に映し出される画像が視認しにくいという問題があった。
【０００６】
本発明は、上述の様な問題点を解消するためになされた物で屋内外のあらゆる条件であっても液晶パネルを直視するときでも明るい映像として見ることの出来る電子ビューファインダ装置を得ることを目的とする。
【課題を解決するための手段】
【０００７】
そこで、本発明の撮像装置では、カメラからの撮像信号あるいは記録媒体からの再生信号を映写する電子ビューファインダ内部の液晶パネルに半透過型液晶パネルを用いて、前記課題を解決した。また、電子ビューファインダの接眼部を液晶パネルから離して液晶パネル単体で直視する場合には、この接眼部の移動動作を検出する手段の出力と外界の光環境強度を検出することによって、上記液晶パネルモニタ部のバックライト電源のON・OFF制御する制御手段を備えることで操作性を向上させた。
【０００８】
上記検出手段の具体例としては、可動する接眼部側にロックピンを突出させ、液晶パネルモニタ側には前記ロックピンを係止する係止孔と前記ロックピンを検出するスイッチを配設して制御を行う。または、ホール素子やMR（Magnetic Resistor）素子等を用いた磁気センサや、圧力センサ、超音波センサ、光センサ、及び静電センサ等の各種センサから、少なくとも一種類を用いて解決した。また、外界の光環境強度を判断する際に用いる検出系に、カメラ部のアイリス制御信号を利用する場合、又は光センサを設けその出力を利用する場合の少なくとも一種類を用いて解決した。
【発明の効果】
【０００９】
このように、電子ファインダの表示装置において、表示液晶パネルを半透過型液晶パネルとすることでビューファインダの接眼部分を液晶パネルから離した状態で液晶パネル単体を直接視認するときにおいて、室外の外光の強い環境下においてバックライトが、電子ファインダ接眼部の液晶パネルから離す動作に連動してOFFとなり半透過型液晶パネルを反射型液晶パネルとして利用することで視認性が上がる。また、バックライトをOFFにすることでセット本体の小電力化を行うことが出来る。
【００１０】
また、ファインダ本体の液晶パネル面からの脱着動作によって自動的に半透過型液晶パネルのバックライトをON・OFF制御を行うことで操作性を向上させる。
【発明を実施するための最良の形態】
【００１１】
以下、本発明を実施するための形態に関して説明する。
【実施例１】
【００１２】
以下、図1〜図3を用いて、本発明の実施例、半透過型液晶パネル電子ビューファインダ装置を具備するビデオカメラの説明をする。
【００１３】
図1は、本発明の実施例、電子ビューファインダ装置の基本的な構成を示す。図1を参照して、本発明の電子ビューファインダ装置は、ファインダ鏡筒部1、ヒンジ2、ファインダ本体3、接眼レンズ4、半透過型液晶パネル5、ホール素子6、磁石7から構成されている。この図1に示す電子ビューファインダ本体3は、図示しないビデオカメラ装置本体に配設されている。半透過型液晶パネル5はファインダ本体3に内包されている。ビデオカメラには、レンズから構成される撮像部、信号を記録再生する記録媒体を有している。図１（ｂ）に示すようにファインダ鏡筒部1は、ヒンジ2を介してファインダ本体3に対して回動可能な構成となっている。またファインダ鏡筒部1には磁石7とそれと対向する位置にホール素子6がファインダ本体3に配設されている。
【００１４】
半透過型液晶パネル5の動作原理について、図2を用いて説明する。半透過型液晶パネル5の構成図を図2に示す。図2より、偏光板5-a、位相差板5-b、カラーフィルタ5-c、反射板5-d、バックライト5-e、液晶素子5-fから半透過型液晶パネル5は構成されている。このように、半透過型液晶パネル5は、一つの画素内に透過型の画素と反射型の画素を2個持つ構成となっている。透過型と反射型の大きな動作構造上の違いは、光源の違いである。透過型の光源はバックライト5-eである。つまり、裏側から光を透過させて表示を行う液晶パネルである。
【００１５】
反射型は、液晶パネル表面から入射した外部からの光源を用いる。入射した外光は、偏光板5-a、位相差板5-b、カラーフィルタ5-cを通り、反射板5-dにて反射される。この反射光によって表示を行う。このように外光を利用するので、バックライト5-eを点灯させる必要は無い。
【００１６】
本発明の実施例の制御を説明するためのブロック回路を図3に示す。ビデオカメラ本体部のレンズ部8を通して入射した被写体像の光（映像）はアイリス（絞り）9をへてCCD10により電気信号に変換される。この電気信号はカメラ信号処理部11及びビデオ信号処理部12によりそれぞれ信号処理され、ビデオ信号処理部12から出力されたホワイトバランスされたカラー映像がモニタ13やビューファインダ14に出力される。また、カメラ信号処理部11からの情報はカメラコントロール部15に入力され、カメラコントロール部15からの出力信号に応じてカメラ信号処理部11が制御される。カメラコントロール部15からアイリスドライバ16を駆動してアイリス9を環境光強度に応じた絞り量に制御される。
【００１７】
図1、図3を用いて本発明の動作について説明する。図１（a）に示すようにビデオ信号処理部12から半透過型液晶パネル5に出力される映像を接眼レンズ4に通して視認する場合には、ファインダ鏡筒部1に配設された磁石7は、ファインダ本体3に配設されたホール素子6に対して磁界を印可した状態である。直流電源に接続したホール素子6の動作は電流（又は電圧）バイアスを供給しながら磁界を印可すると磁界の強さに応じた出力電圧を発生するというものである。つまり、ホール素子6からの出力電圧が高いと検知制御回路19が、ファインダ鏡筒部1が使用されていると判断する。検知制御回路19からの信号に応じてシステム制御回路17により半透過型液晶パネル5のバックライト5-eはONとし透過型液晶として利用する。
【００１８】
図１（ｂ）のようにファインダ鏡筒部1をファインダ本体3からヒンジ2を介して跳ね上げ、半透過型液晶パネル5を直接視認する場合について説明する。ファインダ鏡筒部1の跳ね上げ動作を行うとファインダ鏡筒部1に配設された磁石7は、ファインダ本体3に配設されたホール素子6に対して磁界を印可しない。このとき、ホール素子6からの出力に変化が生じる。この出力変化から検知制御回路19が、ファインダ鏡筒部1が使用されていないと判断する。これと同時にカメラコントロール部15からアイリスドライバ16を駆動してアイリス9を環境光強度に応じた絞り量に制御する信号をシステム制御回路17に入力して、システム制御回路17が環境光強度の強い屋外での使用であると判断するとシステム制御回路17により半透過型液晶パネル5のバックライト5-eはOFFとし反射型液晶として利用する。
【００１９】
また、システム制御回路17が環境光強度の弱い屋内使用であると判断した場合、ファインダ鏡筒部1をファインダ本体3からヒンジ2を介して跳ね上げた状態においても半透過型液晶パネル5のバックライト5-eはONとし透過型液晶として利用する。こうすることで、使用環境下において最適な半透過型液晶のバックライト制御行い、表示画面が見やすくなる。
【００２０】
本実施例の説明では、ビデオカメラの電子ビューファインダについて説明を行ったが、デジタルスチルカメラにおいても応用できる。また、実施例の説明では、ホール素子を検知スイッチに利用した形態について説明を行ったが、可動する接眼部側にロックピンを突出させ、液晶モニタ側には前記ロックピンを係止する係止孔と前記ロックピンを検出するスイッチを配設して検知するメカニカルな構成な形態、MR（Magnetic Resistor）素子等を用いた磁気センサや、圧力センサ、超音波センサ、光センサ、及び静電センサ等の各種センサから、少なくとも一種類を用いても問題ない。また、本発明ではアイリス制御の情報を外界の環境強度の検出方法に利用したが別に設けた光センサの出力を用いても問題は無い。
【図面の簡単な説明】
【００２１】
【図１】本発明、実施例の電子ビューファインダ装置の基本的な構成を示す図
【図２】半透過型液晶パネル内部構成を示す図
【図３】本発明の実施例の制御を説明するためのブロック回路
【図４】従来の電子ビューファインダ装置の基本的な構成を示す図
【符号の説明】
【００２２】
1  ファインダ鏡筒部
2  ヒンジ
3  ファインダ本体
4  接眼レンズ
5  半透過型液晶パネル
6  ホール素子
7  磁石
8  レンズ
9  アイリス
10  CCD
11  カメラ信号処理部
12  ビデオ信号処理部
13  モニタ
14  ビューファインダ
15  カメラコントロール部
16  アイリスドライバ
17  システム制御回路
18  主電源SW
19  検知制御回路
101  ファインダ鏡筒部
102  ヒンジ
103  ファインダ本体
104  接眼レンズ
105  透過型液晶パネル
【図１】
2008011370.tif 000003
【図２】
2008011370.tif 000004
【図３】
2008011370.tif 000005
【図４】
2008011370.tif 000006